(57)【要約】      （修正有）【課題】開閉スライダーにより、はめ込み式連結生地を開閉する事の出来る、はめ込み式連結機構を提供する。【解決手段】任意の素材のシートの解放端部付近の上下面に幅方向に設けられたスライドファスナ片を有する第２接続片と、第２接続片を挟む分岐シート構成よりなり各シート挟持面に前記第２接続片の上下各スライドファスナー片と手と挟持部材などの押圧で開閉可能に結合するスライドファスナー片を有する第１接続片とよりなる開閉機構。第１接続片と第２接続片が一端部でファスナーが結合した状態で固定されている開閉機構、第１接続片と第２接続片が着脱可能なストッパーにより一端部でファスナーを固定され、開閉スライダーを具備した開閉機構。【選択図】図１
2005279210.tif 000002
【特許請求の範囲】
【請求項１】
任意の素材よりなるシートの解放端部付近の上下面に幅方向に設けられたスライドファスナー片を有する第２接続片と、
該第２接続片を挟む分岐シート構成よりなり各シート挟持面に前記第２接続片の上下各スライドファスナー片と手と挟持部材などの押圧で開閉可能に結合するスライドファスナー片を有する第１接続片とよりなる開閉機構。
【請求項２】
第１接続片と第２接続片が一端部でファスナーが結合した状態で固定されていることを特徴とする請求項１記載の開閉機構。
【請求項３】
第１接続片と第２接続片が着脱可能なストッパーにより一端部でファスナーが結合した状態で固定されていることを特徴とする請求項１記載の開閉機構。
【請求項４】
第１接続片と第２接続片のファスナーが結合した状態で固定された端部の他端側でファスナーが開閉可能となるように固定されていることを特徴とする請求項２又は３記載の開閉機構。
【請求項５】
各ファスナー片を同時に開閉する開閉スライダーを具備することを特徴とする請求項１、２、３又は４記載の開閉機構。
【発明の詳細な説明】
【技術分野】
【０００１】  本発明は、開閉スライダーにより、はめ込み式連結生地を開閉させる事の出来る、はめ込み式連結ファスナー機構に関する物である。
【背景技術】
【０００２】  従来、務歯を噛み合わせるファスナーのタイプＡと、はめ込みレール片をはめ込むことによって結合される、はめ込み式の袋用のファスナーの、タイプＢがあった。
【発明の開示】
【発明が解決しようとする課題】
【０００３】  そのために、次のような問題点があった。
（イ）タイプＡは、ファスナーを閉める時に肌などを挟んだり、連結した務歯のラインにあて布をしないと肌などを傷付ける事があった。
（ロ）タイプＡは、コストが高く、破損しやすく、メンテナンスが必要だった。
（ハ）タイプＡは、密封させる事が難しかった。
（ニ）タイプＡは、質感と材質が限られていて、それが露出している為、作成物のデザインが限られていた。
（ホ）タイプＢは、片面同士の結束の為、方向により結合力がとても弱かった。
（ヘ）タイプＢは、平行に並ぶ生地の同方向の端部で結合する物はあったが、生地同士の連結のために使われている物は無かった。
【課題を解決するための手段】
【０００４】任意の素材よりなるシートの解放端部付近の上下面に幅方向に設けられたスライドファスナー片を有する第２接続片と、
該第２接続片を挟む分岐シート構成よりなり各シート挟持面に前記第２接続片の上下各スライドファスナー片と手と挟持部材などの押圧で開閉可能に結合するスライドファスナー片を有する第１接続片とよりなる開閉機構。以上を特徴とするはめ込み式連結ファスナー機構である。
【発明の効果】
【０００５】  片面同士の結束の場合生じていた方向による結束力の低下を回避し、強力な結束力を得ることができた。
また、務歯による結束を必要としないため、ファスナーを閉める時に肌などを傷付ける事がなくなった。そして務歯のかわりにスライドファスナーレール片を使用する事によってコストを安く、破損しにくく、密封させることも出来るようになった。
第１接続片と第２接続片の一端部が結合した状態にあっては、初期結合操作が不要となることで、より扱いやすくなった。
第１接続片と第２接続片が着脱可能なストッパーにより結合した場合においては、分離可能であるとともに、ストッパーを利用することで、接続片がずれることなくそれ以降の操作を行うことが可能となった。
第１接続片と第２接続片のファスナーの両端が結合した場合においては、服などの開閉手段としてそのままとり付けることで利用することが可能となった。
開閉スライダーによって、いままでのはめ込み式ファスナーではみられなかった生地片同士の連結の為のはめ込み結合ができるようになった。
【発明を実施するための最良の形態】
【０００６】  以下、本発明の第１実施の形態について図１から図１６を利用して説明する。
本発明の開閉機構は、スライドファスナーレール片（５ｂ）を解放端部付近上下面にそれぞれ設けた第２接続片（１）と、第２接続片（１）を挟む分岐シート（３）と基シート（４）よりなる分岐シート構造で、それぞれの挟持面に前記第２接続片（１）の上下各スライドファスナーレール片（５ｂ）と開閉可能に結合するスライドファスナーレール片（５ａ）を有する第１接続片（２）とより構成される。
第２接続片（１）は任意の物品の端部に一体あるいは別体で固定されたシート状のものである。素材は各種生地、ビニール、合成樹皮などの各種素材が利用できる。
図２及び図３に示すように、第２接続片（１）の上下面にスライドファスナーレール片（５ｂ）が端辺に平行に同じ長さで設けられている。このスライドファスナーレール片（５ｂ）は、図１に示すように突起レール部（７）を受ける受けレール（８）が台座の中央にレール延長方向にそって配置された形状の可撓性のものである。
図４及び図５に示すように、第１接続片（２）は基シート（４）に分岐シート（３）が固定されることで構成されている。この分岐シート（３）は、基シート（４）と同幅のものであり、開放辺部をあわせるようにして、対向する辺で接続されている。
また、基シート（４）と分岐シート（３）のそれぞれの接合面側には、前記スライドファスナーレール片（５ｂ）と手や挟持部材などの押圧で開閉可能に結合するスライドファスナレール片（５ａ）がそれぞれ設けられている。このスライドファスナーレール片（５ａ）は、台座中央部に前記スライドファスナーレール片（５ｂ）の受けレール部（８）にはめ込む突起レール部（７）がレール延長方向にそって配置されたものである。更に、レール両側端部はそれぞれはめ込み突起部の高さとほぼ近似した立ち上がり部が構成されている。
また、必要に応じて開閉スライダー（９）、ストッパー（１１）を具備する。これについて、図７〜図１６を利用して説明する。まず、開閉スライダー（９）について、説明する。
開閉スライダー（９）は本体に設けられた第１接続片ガイド（１４）と、第２接続片ガイド（１３）を有する構造となっている。第２接続片ガイド（１３）は一側面から切り込まれた構造で、図８に示すように平面状態で中央位置に上から下まで直線状に設けられている。また、第２接続片ガイド（１３）は前記第２接続片（１）を通すものであり、スライドファスナーレール片（５ｂ）の受けレール部（８）用に切り込まれたレールガイド溝（１２ｂ）が平面状態で上下に設けられている。
第１接続片ガイド（１４）は前記第２接続片ガイド（１３）の切り込まれた側辺の反対側面から切り込まれた形状であり、上部においては平面状態で前記第２接続片ガイド（１３）を挟むように二つ設けられている。この第２接続片ガイド（１３）は分岐部（１５）までは分岐した状態であるが分岐部下でガイドが結合して統合ガイド部（１６）となり底部まで設けられている。
また、第１接続片ガイド（１４）はそれぞれ内側方向に第１接続片（２）のスライドファスナーレール片（５ａ）の突起レール部（７）をガイドするレールガイド溝（１２ａ）が設けられている。
このレールガイド溝（１２ａ）は統合ガイド部（１６）で前記レールガイド溝（１２ｂ）とによりファスナーレール片を結合させる位置となっている。
開閉スライダー（９）前面には操作用の引き手（１０）が設けられている。
また、ストッパー（１１）は必要に応じて使用するものであり、その事例として図１６を利用して説明する。ストッパー（１１）は背板、ストッパーボトム（２１）である底板、前板から構成されている。前板には背板方向に突出した押さえ付け用突起（１９）が設けられている。この際背板と前板の間隔は図７に示すように第１接続片（２）と第２接続片（１）が結合した状態で収まるものであり、押さえ付け用突起（１９）は第１接続片（２）と第２接続片（１）の結合がはずれないように押さえ付けるものである。
本発明は以上の構成よりなる。
これを使用するときは、二つの第１接続片（２）をそれぞれの第１接続片ガイド（１４）に上方から差し込む。また、第２接続片（１）を同様に第２接続片ガイド（１３）に上方から差し込む。その状態で引手（１０）を上方に上げることでそれぞれの接続片が接続片ガイドに沿って結合されていく。すなわち、上部では第１接続片ガイド（１４）は離れた状態であるが、統合ガイド部（１６）で第１接続片（２）の突起レール部（７）が第２接続片（１）の受けレール部（８）にかみ合い結合される。
引手（１０）を下げた場合は、分岐部（１５）において突起レール部（７）が第２接続片（１）の受けレール部（８）から離されていき第１接続片（２）と第２接続片（１）が離される状態となる。
また、第１接続片（２）と第２接続片（１）を結合するさい、下端がずれた状態であるが、これを上下に動かして下端をあわせ、ストッパー（１１）を装着することで、上下端があった状態で使用することができる。
また、図１６に示す事例のように背板の内面に接着層を設けた接着面（２０）を設けることで、その接着面で接続片を固定し使用することも可能となる。
本発明においては、これらストッパーと開閉スライダーを利用しなくても、手で開閉操作を行うことも可能である。【０００７】以下、第２実施形態について図１７〜図１９を利用して説明する。本実施の形態においては、第１接続片と第２接続片の下端が結合された状態で一体となった固着部（１７）となっている。図１７図１８はそれぞれ反対の側面からこれをみた図である。
図１９はエンドストッパー（１８）を利用したものである。これは接続片の固着部と反対に位置する端部に設けられたものであり、開閉スライダーの抜けを防止するものである。これは、第２接続片（１）を分離することの出来る、ジャンパーのような前ファスナータイプの洋服類用や、医療用の隔離ビニール開閉用などのファスナーなど、さまざまな用途に使うことができる。
上記、各事例において部材の組み合わせは利用できる範囲で自由である。また、第２接続片（１）と第１接続片（２）を結合させるスライドファスナーレール片（５ａ）とスライドファスナーレール片（５ｂ）は必要により入れ替えて設けることも可能であり、その場合開閉スライダー（９）の第２接続片ガイド（１３）と第１接続片ガイド（１４）に設けているレールガイド溝（１２）も上記スライドファスナーレール片（５）の入れ替えにあわせて設ける。
【従来との比較と説明】
【０００８】従来のはめ込み式片面同士の結合のファスナーのタイプＢを生地の連結に使用したものと、本発明のファスナーで生地の連結をしたものを図２０と図２１で示し、点線矢印により生地にかけた力の方向を示す。そして図２２と図２３によって前記図２０、図２１の状態の時の突起レール部（７）が受けレール部（８）にたいして引っ張られている方向を矢印によって示し、従来のものと本発明のものとの比較を以下にのべる。
図２０に示す従来のものは、点線矢印の方向に力を加えると始点のずれているスライドファスナーレール片（５）で結合しているため、第１生地片（２４）と第２生地片（２５）が結合面の反対面に反ってしまう。そのとき図２２で示すように、第２生地片（２５）の突起レール部（７）は受けレール部（８）にたいして、矢印の方向に引っ張られていることになり、とてもはめ込み結合部がはずれやすかった。しかし図２１が示す本発明のものは、点線矢印の方向に力を加えても第１接続片（２）が第２接続片（１）を挟み込んでいるため第２接続片（１）や第１接続片（２）が反ってしまうことは無く、図２３で示すように第１接続片（２）の突起レール（７）は受けレール部（８）にたいして、矢印の方向に引っ張られていることになり、従来のものよりはめ込み結合部がはずれにくい方向に引っ張られていることにより従来のものより結合させておく能力がすぐれている。
【図面の簡単な説明】
【０００９】
【図１】本発明のファスナー連結部の上面図
【図２】本発明の第２接続片の斜視図
【図３】本発明の第２接続片の斜視図
【図４】本発明の第１接続片の斜視図
【図５】本発明の第１接続片の斜視図
【図６】本発明の第１接続片と第２接続片の斜視図
【図７】本発明の全容正視図
【図８】本発明の使用時のスライダーの上面図
【図９】本発明の使用時のスライダーの下面図
【図１０】本発明の使用時のスライダーの右側面断面図
【図１１】本発明の開閉スライダーの斜視図
【図１２】本発明の開閉スライダーの上面図
【図１３】本発明の開閉スライダーの下面図
【図１４】本発明の開閉スライダーの右側面図
【図１５】本発明の開閉スライダーの左側面図
【図１６】本発明のストッパーの斜視図
【図１７】本発明の固着部の側視図
【図１８】本発明の固着部の側視図
【図１９】本発明のエンドストッパーの斜視図
【図２０】従来のはめ込み式ファスナー連結部の上面図
【図２１】本発明のファスナー連結部の上面図
【図２２】従来のはめ込み式ファスナー連結部の上面図
【図２３】本発明のファスナー連結部の上面図
【符号の説明】
【００１０】１  第２接続片
２  第１接続片
３  分岐シート
４  基シート
５；５ａ；５ｂ  スライドファスナーレール片
６  レール素材
７  突起レール部
８  受けレール部
９  開閉スライダー
１０  引手
１１  ストッパー
１２；１２ａ；１２ｂ  レールガイド溝
１３  第２接続片ガイド
１４  第１接続片ガイド
１５  分岐部
１６  統合ガイド部
１７；１７ａ；１７ｂ  固着部
１８  エンドストッパー
１９  押さえ付け用突起
２０  接着面
２１  ストッパーボトム
２２  レールスライド防止面
２３  スライダー停止面
２４  第１生地片
２５  第２生地片
【図１】
2005279210.tif 000003
【図２】
2005279210.tif 000004
【図３】
2005279210.tif 000005
【図４】
2005279210.tif 000006
【図５】
2005279210.tif 000007
【図６】
2005279210.tif 000008
【図７】
2005279210.tif 000009
【図８】
2005279210.tif 000010
【図９】
2005279210.tif 000011
【図１０】
2005279210.tif 000012
【図１１】
2005279210.tif 000013
【図１２】
2005279210.tif 000014
【図１３】
2005279210.tif 000015
【図１４】
2005279210.tif 000016
【図１５】
2005279210.tif 000017
【図１６】
2005279210.tif 000018
【図１７】
2005279210.tif 000019
【図１８】
2005279210.tif 000020
【図１９】
2005279210.tif 000021
【図２０】
2005279210.tif 000022
【図２１】
2005279210.tif 000023
【図２２】
2005279210.tif 000024
【図２３】
2005279210.tif 000025